(57)【特許請求の範囲】
【請求項１】
1フィールドの画像が複数のサブフィールドによって表示され、前記サブフィールドでは第1の基板に配置されたアドレス電極に交差し、前記第1の基板と異なる第2の基板に配置された第１の電極群と第２の電極群とに交互にサステインパルスが印加されるプラズマディスプレイ装置の駆動方法であって、
第1のサブフィールドでは前記第1の電極群に前記第2の電極群に印加されるサステインパルスよりもパルス幅の長いサステインパルスが印加され、前記第1のサブフィールドと異なる第2のサブフィールドでは前記第２の電極群に前記第１の電極群に印加されるサステインパルスよりもパルス幅の長いサステインパルスが印加されることを特徴とするプラズマディスプレイ装置の駆動方法
【請求項２】
1フィールドの画像が複数のサブフィールドによって表示され、前記サブフィールドでは第1の基板に配置されたアドレス電極に交差し、前記第1の基板と異なる第2の基板に配置された第１の電極群と第２の電極群とに交互にサステインパルスが印加されるプラズマディスプレイ装置の駆動方法であって、
第1のサブフィールドでは前記第1の電極群に前記第2の電極群に印加されるサステインパルスよりも印加電圧の大きいサステインパルスが印加され、前記第1のサブフィールドと異なる第2のサブフィールドでは前記第２の電極群に前記第１の電極群に印加されるサステインパルスよりも印加電圧の大きいサステインパルスが印加されることを特徴とするプラズマディスプレイ装置の駆動方法
【請求項３】
1フィールドの画像が複数のサブフィールドによって表示され、前記サブフィールドでは第1の基板に配置されたアドレス電極に交差し、前記第1の基板と異なる第2の基板に配置された第１の電極群と第２の電極群とに交互にサステインパルスが印加されるプラズマディスプレイ装置の駆動方法であって、
第1のサブフィールドでは前記第1の電極群に前記第2の電極群に印加されるサステインパルスよりも立ち上がり時間または立ち下がり時間の長いサステインパルスが印加され、前記第1のサブフィールドと異なる第2のサブフィールドでは前記第２の電極群に前記第１の電極群に印加されるサステインパルスよりも立ち上がり時間または立ち下がり時間の長いサステインパルスが印加されることを特徴とするプラズマディスプレイ装置の駆動方法
【請求項４】
1フィールドの画像が複数のサブフィールドによって表示され、前記サブフィールドでは第1の基板に配置されたアドレス電極に交差し、前記第1の基板と異なる第2の基板に配置された第１の電極群と第２の電極群とに交互にサステインパルスが印加されるプラズマディスプレイ装置の駆動方法であって、
第1のサブフィールドでは前記第1の電極群に第1のサステインパルスが印加され、前記第2の電極群に前記第1のサステインパルスとは放電強度の異なる第2のサステインパルスが印加され、前記第1のサブフィールドとは異なる第2のサブフィールドでは前記第1の電極群に前記第２のサステインパルスが印加され、前記第２の電極群に前記第１のサステインパルスが印加されることを特徴とするプラズマディスプレイ装置の駆動方法。
【請求項５】
請求項４に記載のプラズマディスプレイ装置の駆動方法であって、前記放電強度の異なるサステインパルスとは印加時間、印加電圧、立ち上がり時間または立ち下がり時間の異なるサステインパルスであることを特徴とするプラズマディスプレイ装置の駆動方法。
【請求項６】
請求項１乃至５のいずれかに記載のプラズマディスプレイ装置の駆動方法であって、前記第１のサブフィールドと前記第２のサブフィールドが交互に繰り返されることを特徴とするプラズマディスプレイ装置の駆動方法。
【請求項７】
請求項１乃至６のいずれかに記載のプラズマディウスプレイ装置の駆動方法であって、前記第２のサブフィールドは前記第１のサブフィールドの次のサブフィールドであることを特徴とするプラズマディスプレイ装置の駆動方法。
【請求項８】
1フィールドの画像が複数のサブフィールドによって表示されるプラズマディスプレイ装置であって、
第1の基板に配置されたアドレス電極と
前記アドレス電極に交差し、前記第1の基板とは異なる第２の基板に配置され、互いに独立に駆動可能な第1の電極群及び第2の電極群と、
前記第１の電極群と前記第２の電極群とにサステインパルスを印加することにより放電を行い、第1のサブフィールドでは前記第1の電極群に前記第2の電極群に印加するサステインパルスよりも印加時間の長いサステインパルスを印加し、前記第1のサブフィールドと異なる第2のサブフィールドでは前記第２の電極群に前記第１の電極群に印加するサステインパルスよりも印加時間の長いサステインパルスを印加する駆動回路とを有するプラズマディスプレイ装置。
【請求項９】
1フィールドの画像が複数のサブフィールドによって表示されるプラズマディスプレイ装置であって、
第1の基板に配置されたアドレス電極と
前記アドレス電極に交差し、前記第1の基板とは異なる第２の基板に配置され、互いに独立に駆動可能な第1の電極群及び第2の電極群と、
前記第１の電極群と前記第２の電極群とにサステインパルスを印加することにより放電を行い、第1のサブフィールドでは前記第1の電極群に前記第2の電極群に印加するサステインパルスよりも印加電圧の大きいサステインパルスを印加し、前記第1のサブフィールドと異なる第2のサブフィールドでは前記第２の電極群に前記第１の電極群に印加するサステインパルスよりも印加電圧の大きいサステインパルスを印加する駆動回路とを有するプラズマディスプレイ装置。
【請求項１０】
1フィールドの画像が複数のサブフィールドによって表示されるプラズマディスプレイ装置であって、
第1の基板に配置されたアドレス電極と
前記アドレス電極に交差し、前記第1の基板とは異なる第２の基板に配置され、互いに独立に駆動可能な第1の電極群及び第2の電極群と、
前記第１の電極群と前記第２の電極群とにサステインパルスを印加することにより放電を行い、第1のサブフィールドでは前記第1の電極群に前記第2の電極群に印加するサステインパルスよりも立ち上がり時間または立ち下がり時間の長いサステインパルスを印加し、前記第1のサブフィールドと異なる第2のサブフィールドでは前記第２の電極群に前記第１の電極群に印加するサステインパルスよりも立ち上がり時間または立ち下がり時間の長いサステインパルスを印加する駆動回路とを有するプラズマディスプレイ装置。
【請求項１１】
1フィールドの画像が複数のサブフィールドによって表示されるプラズマディスプレイ装置であって、
第1の基板に配置されたアドレス電極と
前記アドレス電極に交差し、前記第1の基板とは異なる第２の基板に配置され、互いに独立に駆動可能な第1の電極群及び第2の電極群と、
前記第１の電極群と前記第２の電極群とにサステインパルスを印加することにより放電を行い、第１のサブフィールドでは前記第1の電極群に第1のサステインパルスを印加し、前記第2の電極群に前記第1のサステインパルスとは放電強度の異なる第2のサステインパルスを印加し、前記第1のサブフィールドとは異なる第2のサブフィールドでは前記第1の電極群に前記第２のサステインパルスを印加し、前記第２の電極群に前記第１のサステインパルスを印加する駆動回路とを有するプラズマディスプレイ装置。
【請求項１２】
請求項１１に記載のプラズマディスプレイ装置であって、前記放電強度の異なるサステインパルスとはパルス幅、印加電圧、立ち上がり時間または立ち下がり時間の異なるサステインパルスであることを特徴とするプラズマディスプレイ装置。
【請求項１３】
請求項８乃至１２のいずれかに記載のプラズマディスプレイ装置であって、前記第１のサブフィールドと前記第２のサブフィールドが交互に繰り返されることを特徴とするプラズマディスプレイ装置。
【請求項１４】
請求項８乃至１３のいずれかに記載のプラズマディスプレイ装置であって、前記第２のサブフィールドは前記第１のサブフィールドの次のサブフィールドであることを特徴とするプラズマディスプレイ装置。
【発明の詳細な説明】
【技術分野】
【０００１】
本発明は、プラズマディスプレイ装置及びその駆動方法に関する。
【背景技術】
【０００２】
例えばＡＣ型ＰＤＰは、電極を誘電体層等によって被覆し、電荷をその誘電体上に蓄積して放電を制御し、放電により発生する紫外線で蛍光体を励起して画像を表示するデバイスである。一般的なＡＣ型ＰＤＰは、１フィールド（１画面）を階調の異なる複数個のサブフィールドに分割し、その重ね合わせによって画像の階調を表現する。各サブフィールドは、画素（セル）内の電極近傍の誘電体及び蛍光体上に蓄積した電荷を各画素で均一にする予備放電期間、発光させるセルを選択する書き込み放電期間、発光表示を行う発光表示期間に分けられる。この方式に於いて、各サブフィールドの発光表示期間で発光表示のための放電は、例えば、特許文献１の図5に示されるように１対の電極に交互に電圧を印加していた。
【０００３】
【特許文献１】特開平８−１２９３５７号公報
【発明の開示】
【発明が解決しようとする課題】
【０００４】
例えばＡＣ型ＰＤＰの駆動方法において、放電させるセルと放電させないセルの識別には壁電荷を利用する。ＡＣ型ＰＤＰで放電を発生させると放電により印加電圧と逆極性の荷電粒子が蓄積され（以降壁電荷とする）、この逆極性の壁電荷により、放電維持電圧をみたせず放電が終了する。
【０００５】
ＡＣ型ＰＤＰの駆動方法は、蓄積された壁電荷の電位と印加する電圧（Ｖｓ）の重畳により放電開始電圧（Ｖｂ）を越えて放電を発生させる。一般に印加電圧Ｖｓは放電開始電圧Ｖｂより低く、壁電荷により放電させるセルと放電させないセルを識別する。
【０００６】
通常、このような例えばＡＣ型ＰＤＰのごとき放電式表示装置の駆動では、放電を行う１対の電極に交互に電圧を印加することにより、放電を繰り返す。しかし、この１対の電極に交互に電圧を印加する駆動回路は通常別の回路であり、１対の電極に印加される電圧波形は必ずしも一致しない。また、１回路から１対の電極に電圧を印加しても、パネルのセル内の電極は必ずしも対称ではない。このため、セル毎に一方の電極側には（＋）の電荷が蓄積され、他方側には（−）の電荷が蓄積されて次第にセル内で電荷の分離が大きくなり、輝度のむらや、誤動作による画質劣化を起こす一因となっていた
本発明の目的は、かかる従来技術の欠点を改善し、輝度むらや誤動作による画質劣化等のない駆動技術を提供することにある。
【課題を解決するための手段】
【０００７】
上記目的を達成するために本発明では、第1のサブフィールドでは前記第1の電極群に前記第2の電極群に印加されるサステインパルスよりもパルス幅の長いサステインパルスが印加され、前記第1のサブフィールドと異なる第2のサブフィールドでは前記第２の電極群に前記第１の電極群に印加されるサステインパルスよりもパルス幅の長いサステインパルスが印加される。
【０００８】
また、本発明では第1のサブフィールドでは前記第1の電極群に前記第2の電極群に印加されるサステインパルスよりも印加電圧の大きいサステインパルスが印加され、前記第1のサブフィールドと異なる第2のサブフィールドでは前記第２の電極群に前記第１の電極群に印加されるサステインパルスよりも印加電圧の大きいサステインパルスが印加される。
【０００９】
また、本発明では第1のサブフィールドでは前記第1の電極群に前記第2の電極群に印加されるサステインパルスよりも立ち上がり時間または立ち下がり時間の長いサステインパルスが印加され、前記第1のサブフィールドと異なる第2のサブフィールドでは前記第２の電極群に前記第１の電極群に印加されるサステインパルスよりも立ち上がり時間または立ち下がり時間の長いサステインパルスが印加される。
【００１０】
また、本発明では第1のサブフィールドでは前記第1の電極群に第1のサステインパルスが印加され、前記第2の電極群に前記第1のサステインパルスとは放電強度の異なる第2のサステインパルスが印加され、前記第1のサブフィールドとは異なる第2のサブフィールドでは前記第1の電極群に前記第２のサステインパルスが印加され、前記第２の電極群に前記第１のサステインパルスが印加される。
【発明の効果】
【００１９】
本発明を適用することによって、セル内で電荷の分離を少なくし、輝度のむらや、誤動作による画質劣化を防止できる。
【発明を実施するための最良の形態】
【００２０】
以下、プラズマディスプレイ装置の場合を例にとり、図１から図７を用い本発明の実施形態を説明する。
【００２１】
図２は本発明を適用したＰＤＰの構造の一部を示す分解斜視図であり、前面ガラス基板２１の下面には透明なＸ電極２２と、透明なＹ電極２３が平行に交互に付設されている。 また、Ｘ電極２２とＹ電極２３には、それぞれＸバス電極２４とＹバス電極２５が積層付設されている。さらに、Ｘ電極２２、Ｙ電極２３、Ｘバス電極２４、Ｙバス電極２５は誘電体２６によって被覆され、さらにＭｇＯ等の保護層２７が付設されている。
【００２２】
一方、背面ガラス基板２８の上面には、Ｘ電極２２、Ｙ電極２３と垂直に立体交差する電極（以降アドレス電極と称す）２９が付設され、アドレス電極２９は誘電体３０によって被覆されている。この誘電体３０の上には隔壁３１がアドレス電極２９と平行に設けられている。さらに、隔壁３１の壁面と誘電体３０の上面には蛍光体３２が塗布されている。
【００２３】
図３は図２中の矢印Ａの方向から見たＰＤＰの断面図であり、画素の最小単位であるセル１個を示している。尚、図２に示したものと同一の構造については同じ番号を付けて説明を省略する。この図に於いて、アドレス電極２９は２つの隔壁３１の中間に位置し、前面ガラス基板２１と背面ガラス基板２８、隔壁３１に囲まれた放電空間３３には放電を行わせるためのガスが充填されている。
【００２４】
図４は図２中の矢印Ｂの方向からみたＰＤＰの断面図であり、１個のセルを示している。尚、図２に示したものと同一の構造については同じ番号を付けて説明を省略する。セルの境界は概略点線で示す位置であるが、実際には隔壁等によって区切られているわけではない。
【００２５】
図５はＰＤＰの電極配置と駆動装置の回路構成を示している。図に示すように、Ｘ電極２２はＸ駆動回路３４に、Ｙ電極２３はＹ駆動回路３５に、アドレス電極２９はアドレス駆動回路３６に接続され、それぞれの駆動回路により電圧が印加される。
【００２６】
図６は図２に示したＰＤＰに１枚の画を表示するのに要する１フィールドの動作を示す図である。本実施形態に於いて、１フィールド４０は８個のサブフィールド４１乃至４８に分割され、各サブフィールドは、セル内に於ける電極近傍の誘電体及び蛍光体上に蓄積した電荷の状態を各セルで均一にするリセット期間４１〜４８ａ、発光セルを規定するアドレス期間４１〜４８ｂ、規定されたセルを所定の明るさで発光させるサステイン期間４１〜４８ｃからなる。
【００２７】
各サブフィールド毎に放電回数を変化させているため、発光表示を行う期間の長さが異なり、異なる明るさの表示ができる。このサステイン期間４１〜４８ｃを選択的に発光させることにより、表示する画像の階調を表現する。図６はサステインパルス数が少ない順に各サブフィールドを配置しているが、サブフィールドの並び順は任意である。
【００２８】
図１に本発明の第一の実施の形態を説明する１つのサブフィールドで各電極に印加する電圧波形を示す。図１（ａ）は１本のＸ電極に印加する電圧波形であり、Ｘ駆動回路３４により印加される。図１（ｂ）は各々１本のＹ電極に印加する電圧波形であり、Ｙスキャン回路３５により印加される。図１（ｃ）は１本のアドレス電極に印加する電圧波形であり、アドレス駆動回路３６により印加される。また、（ｄ）は（ｂ）に示す電圧波形を印加するＹ電極を含むセルの放電による発光（例えば、波長が８２８ｎｍの近赤外光）を示す。
【００２９】
リセット期間４１〜４８ａでは、Ｘ電極２２にリセットパルス１を印加する。アドレス期間４１〜４８ｂでは、Ｘ電極２２にＸスキャンパルス２、Ｙ電極２３にＹスキャンパルス３、アドレス電極２９にアドレスパルス４を印加する。サステイン期間４１〜４８ｃでは、Ｘ電極２２及びＹ電極２３に印加時間（幅）がｔ１の第１のサステインパルス５と印加時間（幅）がｔ２の第２のサステインパルス６を印加する。ここで、ｔ１はｔ２より少なくとも０.２μｓ以上長くなっている。
【００３０】
この電圧波形によりリセット期間４１〜４８ａにおいては、Ｘ電極２２に印加されたリセットパル１の立ち上りと立ち下がりで放電7、8が発生する。
【００３１】
アドレス期間４１〜４８ｂにおいては、Ｙ電極２３にスキャンパルス３とアドレス電極２９にアドレスパルス４が同時に印加されたセルでのみ、アドレス放電９が発生する。
【００３２】
サステイン期間４１〜４８ｃにおいては、Ｘ電極２２及びＹ電極２３に印加された第１のサステインパルス５と第２のサステインパルス６の立ち上りで放電１０、１１が発生する。この際、壁電荷を持たないセルにおいては第１及び第２のサステインパルス５、６では放電は起こらない。
【００３３】
次に本発明の動作を説明する。第１のサステインパルスと第２のサステインパルスでは第１のサステインパルスの方が少なくとも０.２μｓ以上長く設定されている。このため、Ｙ電極２３に第１のサステインパルス５が印加され、Ｘ電極２２に第２のサステインパルス６が印加された場合、Ｙ電極２３側には（−）極性の電荷が多く集まる。続いてＹ電極２３に第２のサステインパルス６が印加され、Ｘ電極２２に第１のサステインパルス５が印加された場合、Ｘ電極２２側に（−）極性の電荷が多く集まる。このようにパルス幅の異なる第１のサステインパルス５と第２のサステインパルス６をＸ電極２２とＹ電極２３に交互に印加することで一方の極性の電荷が一方の電極側に偏って蓄積することを防止できる。これにより、セル内で電荷の分離を少なくし、輝度のむらや、誤動作による画質劣化を防止できる。
【００３４】
本実施の形態ではサステインパルスの幅が異なる場合を示したが、第１のサステインパルスと第２のサステインパルスで印加電圧を変えて放電強度と電荷の蓄積量を変えてもよい。また、電圧波形の立ち上り又は立ち下がりの時間を変えて放電強度を変えてもよい。
【００３５】
以上のようにして、本実施例では幅の異なるサステインパルスを一対の電極に交互に印加することで、セル内で電荷の分離を少なくし、輝度のむらや、誤動作による画質劣化を防止できる。
【００３６】
次に本発明の第二の実施の形態を図７により説明する。図７は本発明における２つのサブフィールドで各電極に印加する電圧波形を示す。図７（ａ）は１本のＸ電極に印加する電圧波形であり、Ｘ駆動回路３４により印加される。図７（ｂ）は各々１本のＹ電極に印加する電圧波形であり、Ｙスキャン回路３５により印加される。図７（ｃ）は１本のアドレス電極に印加する電圧波形であり、アドレス駆動回路３６により印加される。また、（ｄ）は（ｂ）に示す電圧波形を印加するＹ電極を含むセルの放電による発光（例えば、波長が８２８ｎｍの近赤外光）を示す。図１に示した第１の実施の形態と同じ波形については同一番号を付けて説明を省略する。
【００３７】
本実施の形態においては１つのサブフィールドではＹ電極２３には第１のサステインパルス５が印加され、Ｘ電極２２に第２のサステインパルス６が印加される。続いて次のサブフィールドではＹ電極２３には第２のサステインパルス６が印加され、Ｘ電極２２に第１のサステインパルス５印加される。これにより、Ｙ電極２３に第１のサステインパルス５が印加され、Ｘ電極２２に第２のサステインパルス６が印加されたサブフィールドでは、Ｙ電極２３側には（−）極性の電荷が多く集まる。続くサブフィールドでＹ電極２３に第２のサステインパルス６が印加され、Ｘ電極２２に第１のサステインパルス５が印加された場合、Ｘ電極２２側に（−）極性の電荷が多く集まる。このようにパルス幅の異なる第１のサステインパルス５と第２のサステインパルス６をＸ電極２２とＹ電極２３にサブフ
ィールド毎に交互に印加することで一方の極性の電荷が一方の電極側に偏って蓄積することを防止できる。これにより、セル内で電荷の分離を少なくし、輝度のむらや、誤動作による画質劣化を防止できる。
【００３８】
本実施の形態ではサステインパルスの幅が異なる場合を示したが、第１のサステインパルスと第２のサステインパルスで印加電圧を変えて放電強度と電荷の蓄積量を変えてもよい。また、電圧波形の立ち上り又は立ち下がりの時間を変えて放電強度を変えてもよい。また、サブフィールド毎に交互に印加するのではなく、１フィールド毎に切替えてもよい。
【００３９】
以上のようにして、本実施例では幅の異なるサステインパルスを一対の電極にサステイン期間内又は、サブフィールド毎又は、フィールド毎に交互に印加することで、セル内で電荷の分離を少なくし、輝度のむらや、誤動作による画質劣化を防止できる。
【００４０】
なお、上記実施例はプラズマディスプレイ装置の場合であるが、本発明はこれに限定されない。
【図面の簡単な説明】
【００４１】
【図１】本発明の構成における１サブフィールド内における駆動波形例図である。
【図２】本発明の一実施例としてのＰＤＰの場合の構造の一部を示す分解斜視図である。
【図３】図２中の矢印Ａの方向から見たＰＤＰの断面図である。
【図４】図２中の矢印Ｂの方向から見たＰＤＰの断面図である。
【図５】本発明の一実施例としてのＰＤＰの回路構成を示した図である。
【図６】１枚の画を構成する１フィールド期間の動作を示した図である。
【図７】本発明の第２の実施例の２サブフィールドにおける駆動波形図である。
【符号の説明】
【００４２】
１…リセットパルス、
３…スキャンパルス、
４…アドレスパルス、
５…第１のサステインパルス、
６…第２のサステインパルス、
２１…前面ガラス基板、
２２、５２…Ｘ電極、
２３、５３…Ｙ電極、
２４、５４…Ｘバス電極、
２５、５５…Ｙバス電極、
２６…誘電体、
２７…保護層、
２８…背面ガラス基板、
２９…アドレス電極、
３０…誘電体、
３１…隔壁、
３２…蛍光体、
３３…放電空間、
３４…Ｘ駆動回路、
３５…Ｙ駆動回路、
３６…アドレス駆動回路、
４０…１フィールド、
４１〜４８…サブフィールド、
４１〜４８ａ…リセット期間、
４１〜４８ｂ…アドレス期間、
４１〜４８ｃ…サステイン期間。
【図１】
0004259601.tif 000002
【図２】
0004259601.tif 000003
【図３】
0004259601.tif 000004
【図４】
0004259601.tif 000005
【図５】
0004259601.tif 000006
【図６】
0004259601.tif 000007
【図７】
0004259601.tif 000008